(57)【要約】【課題】  不使用時の形態を扁平にコンパクト化することができ、落下時の衝撃やケース内での振動による破損や傷みの心配も少なく、しかも、意匠的にもスマートで斬新な薄型変形式眼鏡フレーム及び折畳式リムレス眼鏡を提供すること。【解決手段】  ブリッジにより左右対称に平面状に並立連結されて略平板状のフロント枠を構成するレンズリムと、靱やかな弾性材料で作製された左右一対の細長状のフレキシブルテンプルと、このテンプルを前記リムにヒンジ連結するヒンジ部材とを含んで構成すると共に、前記テンプルをヒンジ部材側の前記向かい側弦方向へ回動させたときに、当該左右のテンプルがヒンジ連結側のレンズリムの外側弦側および前記向かい側の弦側を包囲してフロント枠と略同一平面をなすように折畳めるようにした。【選択図】  図３
2009251060.tif 000002
【特許請求の範囲】
【請求項１】
ブリッジ１により左右対称に平面状に並立連結されて略平板状のフロント枠Ｆを構成するレンズリム２・２と；靱やかな弾性材料で作製された左右一対の細長状のフレキシブルテンプル３・３と；このテンプル３・３を前記リム２・２にヒンジ連結するヒンジ部材４・４とを含んで成り、
このヒンジ部材４・４は、前記リム２・２における上弦21又は下弦22の中央近傍に配設されており、
前記テンプル３・３は、基端部31・31を前記ヒンジ部材４・４に各々ヒンジ連結することによりヒンジ連結されたリム２における当該弦(21又は22)の向かい側の弦(22又は21)方向へ回動自在に支持されており、かつ、当該テンプル３・３自体は前記向かい側の弦方向(22又は21)へ回動させたとき、ヒンジ連結側のリム２の外側弦23側および前記向かい側の弦(22又は21)を包囲可能に湾曲成形されており、
そして、これら両テンプル３・３は、ヒンジ部材４側のリム上弦21又は下弦22の方向へ位置させてあるときには、着用者の左右側頭部を弾力的に挟着してフロント枠Ｆの左右レンズリム２・２を当該着用者の両眼部に対面並立状態に点支持可能であり、
逆に、これら両テンプル３・３をヒンジ部材４側の前記向かい側弦(22又は21)方向へ回動させたときは、当該左右のテンプル３・３はヒンジ連結側のレンズリム２の外側弦23側および前記向かい側の弦(22又は21)側を包囲してフロント枠Ｆと略同一平面をなす如く折畳める薄型ケースに収納可能なフラット折畳式眼鏡フレーム。
【請求項２】
ブリッジ１により左右対称に平面状に並立連結されて略平板状のフロント枠Ｆを構成するレンズ５・５と；靱やかな弾性材料で作製された左右一対の細長状のフレキシブルテンプル３・３と；このテンプル３・３を前記リム２・２にヒンジ連結するヒンジ部材４・４とを含んで成り、
このヒンジ部材４・４は、前記レンズ５・５における上弦51又は下弦52の中央近傍に配設されており、
前記テンプル３・３は、基端部31・31を前記ヒンジ部材４・４に各々ヒンジ連結することによりヒンジ連結されたレンズ５における当該弦(51又は52)の向かい側の弦(52又は51)方向へ回動自在に支持されており、かつ、当該テンプル３・３自体は前記向かい側の弦方向(52又は51)へ回動させたとき、ヒンジ連結側のレンズ５の外側弦53側および前記向かい側の弦(52又は51)を包囲可能に湾曲成形されており、
そして、これら両テンプル３・３は、ヒンジ部材４側のレンズ上弦51又は下弦52の方向へ位置させてあるときには、着用者の左右側頭部を弾力的に挟着してフロント枠Ｆの左右レンズ５・５を当該着用者の両眼部に対面並立状態にブリッジ１で点支持可能であり、
逆に、これら両テンプル３・３をヒンジ部材４側の前記向かい側弦(22又は21)方向へ回動させたときは、当該左右のテンプル３・３はヒンジ連結側のレンズ５の外側弦53側および前記向かい側の弦(52又は51)側を包囲してフロント枠Ｆと略同一平面をなす如く折畳める薄型ケースに収納可能なフラット折畳式リムレス眼鏡。
【請求項３】
フレキシブルテンプル３が可撓性及び曲げ弾性を有するエンジニアリングプラスチックから作製されていることを特徴とする請求項１または２に記載の薄型ケースに収納可能なフラット折畳式眼鏡フレーム又はフラット折畳式リムレス眼鏡。
【請求項４】
ヒンジ部材４にフレキシブルテンプル３の空回りを制止するカム形状の凸曲部41を形成する一方、テンプル３の回動操作においてテンプル基端部31を前記凸曲部41に圧接して弾性変形させて凸曲部41上を通過させることによりテンプル３を回動可能としたことを特徴とする請求項１〜３の何れか一つに記載の薄型ケースに収納可能なフラット折畳式眼鏡フレーム又はフラット折畳式リムレス眼鏡。
【請求項５】
フレキシブルテンプル３の基端部31におけるヒンジ部材４との接触面31aを断面山形状に形成すると共に、テンプル３の回動操作時に前記接触面31aの斜面部をヒンジ部材４の凸曲部41上で摺動させてテンプル基端部31を外側方向に逓次的に加圧可能としたことを特徴とする請求項４記載の薄型ケースに収納可能なフラット折畳式眼鏡フレーム又はフラット折畳式リムレス眼鏡。
【請求項６】
フレキシブルテンプル３・３を押し縮められてケースＣ内に収納可能な湾曲形状としたことを特徴とする請求項１〜５の何れか一つに記載の薄型ケースに収納可能なフラット折畳式眼鏡フレーム又はフラット折畳式リムレス眼鏡。
【発明の詳細な説明】
【技術分野】
【０００１】
本発明は、折畳式の眼鏡フレーム及びリムレス眼鏡の改良、詳しくは、不使用時の形態を至極フラットな状態でコンパクトに折畳むことができ、落下時の衝撃やケース内での振動による破損の心配も少なく、しかも、意匠的にも斬新なスタイルの薄型ケースに収納可能なフラット折畳式眼鏡フレームおよびびフラット折畳み式リムレス眼鏡に関するものである。
【背景技術】
【０００２】
周知のとおり、老眼鏡など必要の都度使用される眼鏡は、バッグや服のポケットなどに入れて持ち運ぶことが要望されるため、不使用時には出来るだけコンパクトな形態にすることが必要である。
【０００３】
ところが、左右のテンプルをフロント枠の後ろで折り畳む一般的な構造の眼鏡では、どうしてもフロント枠後方でテンプルが折り重なり合った分だけ部厚くなって嵩張り、薄型化することが難しかった。
【０００４】
そこで、従来においては、＜特許文献１＞にあるようなフロント枠の上下でテンプルを折り重ねて薄型化する技術が知られていたが、テンプルが左右リムの両側に取り付けられた構造では、テンプルを拡げた際にブリッジに反り方向の負荷が生じて瞳孔に対するレンズ角度が微かに変わってしまい、レンズと両眼部との対向関係を適性に保持することが難しかった。
【０００５】
一方、従来においては、＜特許文献２＞にあるようなフロント枠の上部にヒンジ連結された智部を横向きから縦向きに回動させてから、蝶番部分でテンプルを折り畳むことにより、フロント枠の周囲をテンプルが取り囲む扁平な形態として不使用時の眼鏡をコンパクト化する技術も提案されている。
【０００６】
しかしながら、＜文献２＞に係る従来技術においては、智部の剛性が高いゆえ装着時にテンプルを外側に押し広げた際、フロント枠と智部とを連結するヒンジ部に負荷が集中して故障の原因となり易いため、智部同士をヒンジ間で連結して補強する必要があり、しかも、この連結部位は撓まないようながっちりとした構造とする必要があったため、デザインが不細工になり洗練された雰囲気が得られなかった。
【０００７】
また、上記従来技術では、装着状態の安定度を高めるためテンプルに屈折形状のモダンを設ける必要があったが、テンプル折畳み時に前記モダンがフロント枠の前方に突き出してしまうことで思うようなフラットな形状とすることができなかった。
【０００８】
加えて、＜文献２＞に係る従来の眼鏡では、フロント枠の周囲を智部とテンプルで取り囲む形態としていたため、眼鏡を落としたときなどに外側の智部やテンプルにより内側のフロント枠やレンズを破損の原因となる直接的な衝撃から守ることができるという効果を有していたものの、ケース内に眼鏡を収容した際に、ケース内で眼鏡がガタついてその衝撃でフロント枠やヒンジ部が傷み易いという問題があった。
【特許文献１】特開２００４−１６３４８６号公報（第１−５頁、図１−２図）
【特許文献２】特開昭４８−１７７２８号公報（第１−２頁、図１−６図）
【発明の開示】
【発明が解決しようとする課題】
【０００９】
本発明は、上記の如き問題に鑑みて為されたものであり、その目的とするところは、不使用時の形態を扁平にコンパクト化することができ、落下時の衝撃やケース内での振動による破損や傷みの心配も少なく、しかも、意匠的にもスマートで斬新な薄型変形式眼鏡フレーム及び折畳式リムレス眼鏡を提供することにある。
【課題を解決するための手段】
【００１０】
本発明者が上記課題を解決するために採用した手段を添付図面を参照して説明すれば次のとおりである。
【００１１】
即ち、本発明は、ブリッジ１により左右対称に平面状に並立連結されて略平板状のフロント枠Ｆを構成するレンズリム２・２と；靱やかな弾性材料で作製された左右一対の細長状のフレキシブルテンプル３・３と；このテンプル３・３を前記リム２・２にヒンジ連結するヒンジ部材４・４とを含んで構成すると共に、
このヒンジ部材４・４は、前記リム２・２における上弦21又は下弦22の中央近傍に配設し、前記テンプル３・３を、基端部31・31を前記ヒンジ部材４・４に各々ヒンジ連結することによりヒンジ連結されたリム２における当該弦(21又は22)の向かい側の弦(22又は21)方向へ回動自在に支持し、かつ、当該テンプル３・３を前記向かい側の弦方向(22又は21)へ回動させたとき、ヒンジ連結側のリム２の外側弦23側および前記向かい側の弦(22又は21)を包囲可能に湾曲成形する一方、
これら両テンプル３・３は、ヒンジ部材４側のリム上弦21又は下弦22の方向へ位置させてあるときに、着用者の左右側頭部を弾力的に挟着してフロント枠Ｆの左右レンズリム２・２を当該着用者の両眼部に対面並立状態に点支持可能とし、
逆に、これら両テンプル３・３をヒンジ部材４側の前記向かい側弦(22又は21)方向へ回動させたときには、当該左右のテンプル３・３はヒンジ連結側のレンズリム２の外側弦23側および前記向かい側の弦(22又は21)側を包囲してフロント枠Ｆと略同一平面をなす如く折畳めるようにした点に特徴がある。
【００１２】
また、本発明は、上記課題を解決するために、必要に応じて上記手段に加え、ブリッジ１により左右対称に平面状に並立連結して略平板状のフロント枠Ｆを構成するレンズ５・５と；靱やかな弾性材料で作製した左右一対の細長状のフレキシブルテンプル３・３と；このテンプル３・３を前記リム２・２にヒンジ連結するヒンジ部材４・４とを含んで構成すると共に、
このヒンジ部材４・４は、前記レンズ５・５の上弦51又は下弦52の中央近傍に配設し、前記テンプル３・３は、基端部31・31を前記ヒンジ部材４・４に各々ヒンジ連結することによりヒンジ連結されたレンズ５における当該弦(51又は52)の向かい側の弦(52又は51)方向へ回動自在に支持し、かつ、当該テンプル３・３を前記向かい側の弦方向(52又は51)へ回動させたとき、ヒンジ連結側のレンズ５の外側弦53側および前記向かい側の弦(52又は51)を包囲可能に湾曲成形する一方、
これら両テンプル３・３は、ヒンジ部材４側のレンズ上弦51又は下弦52の方向へ位置させてあるときには、着用者の左右側頭部を弾力的に挟着してフロント枠Ｆの左右レンズ５・５を当該着用者の両眼部に対面並立状態にブリッジ１で点支持可能とし、
逆に、これら両テンプル３・３をヒンジ部材４側の前記向かい側弦(22又は21)方向へ回動させたときは、当該左右のテンプル３・３はヒンジ連結側のレンズ５の外側弦53側および前記向かい側の弦(52又は51)側を包囲してフロント枠Ｆと略同一平面をなす如く折畳めるようにするという技術的手段を採用することができる。
【００１３】
また、本発明は、上記課題を解決するために、必要に応じて上記手段に加え、フレキシブルテンプル３を可撓性及び曲げ弾性を有するエンジニアリングプラスチックから作製するという技術的手段を採用することができる。
【００１４】
また、本発明は、上記課題を解決するために、必要に応じて上記手段に加え、ヒンジ部材４にフレキシブルテンプル３の空回りを制止するカム形状の凸曲部41を形成する一方、テンプル３の回動操作においてテンプル基端部31を前記凸曲部41に圧接して弾性変形させて凸曲部41上を通過させることによりテンプル３を回動可能とするという技術的手段を採用することができる。
【００１５】
また、本発明は、上記課題を解決するために、必要に応じて上記手段に加え、フレキシブルテンプル３の基端部31におけるヒンジ部材４との接触面31aを断面山形状に形成すると共に、テンプル３の回動操作時に前記接触面31aの斜面部をヒンジ部材４の凸曲部41上で摺動させてテンプル基端部31を外側方向に逓次的に加圧可能にするという技術的手段を採用することができる。
【００１６】
また、本発明は、上記課題を解決するために、必要に応じて上記手段に加え、フレキシブルテンプル３・３を押し縮めてケースＣ内に収納可能な湾曲形状とするという技術的手段を採用することができる。
【発明の効果】
【００１７】
本発明では、平板状に作製したフロント枠の左右リムにおける上弦又は下弦にヒンジ部材を設けると共に、このヒンジ部材には弾性材料を湾曲成形して作製したフレキシブルテンプルをヒンジ連結し、更にこのテンプルをヒンジ部材が連結された弦と向かい側の弦方向へ回動させたとき、ヒンジ連結側のリムの外側弦側および前記向かい側の弦を湾曲したテンプルで包囲可能としているため、テンプルとフロント枠を略同一平面上に並べることが可能となり、これによって不使用時の眼鏡フレームを非常にフラットな状態にコンパクト変形することが可能となる。
【００１８】
しかも、上記テンプルは、着用者の左右側頭部に対して弾力的に挟着することが可能であるため、屈曲したモダンがなくても眼鏡を安定的に装着することができ、これによりフロント枠をテンプルで包囲したときモダンが前方に突き出してしまうこともないため、コンパクト変形後の眼鏡フレームをよりフラットな形態とすることができる。
【００１９】
また、テンプルの取り付け位置をリムの端部から上弦又は下弦の中央近傍に寄せたことにより、ブリッジにかかる反り方向の負荷を大幅に軽減することができるため、着用者の両眼部にレンズを対向並立状態に保持することができる。
【００２０】
そしてまた、眼鏡装着時にテンプルを外側に拡げた際には、テンプル自体が撓んでヒンジ部に負荷が集中するようなこともないため、両テンプルを補強的に連結する必要はなく自由に設計することができ、斬新でスマートな印象のデザインとしてファッション性の向上を図ることもできる。
【００２１】
他方、ケース内に眼鏡を収容した際には、フロント枠周囲を包囲したテンプルがケース内での眼鏡のガタつきによる衝撃を吸収する役割も果たすため、ガタつきの衝撃でフロント枠やヒンジ部等が傷む心配が少なく、特に、湾曲したテンプルが突っ張った状態でケース内に収容すれば眼鏡のガタつき自体も防止することができる。
【００２２】
したがって、本発明により、不使用時に持ち運ぶ際にポケットや鞄に入れても嵩張ることがなく、意匠性も高く故障も少ない薄型ケースに収納可能な眼鏡フレームを提供できることから、本発明の実用的利用価値は頗る高い。
【発明を実施するための最良の形態】
【００２３】
本発明を実施するための最良の形態を具体的に図示した図面に基づいて更に詳細に説明すると、次のとおりである。
【００２４】
『実施例１』
本発明の実施例１は、図１から図５に示される。同図において、符号１で指示するものはブリッジであり、符号２で指示するものはレンズリムである。そして、符号３で指示するものは、フレキシブルテンプルであり、符号４で指示するものは、ヒンジ部材である。
【００２５】
この実施例１においては、ブリッジ１により左右対称に並立したレンズリム２・２を平面状に連結して略平板状のフロント枠Ｆを構成するとともに、前記リム２・２の上弦21の中央近傍には、靱やかな弾性材料で作製された左右一対の細長状のフレキシブルテンプル３・３をヒンジ連結するためのヒンジ部材４・４を配設している（図１参照）。
【００２６】
そして、フレキシブルテンプル３・３の基端部31・31をヒンジ部材４・４に各々ヒンジ連結することにより、両テンプル３・３をリム２の下弦22方向に回動自在に支持して図２(a)で示す状態から図２(b)で示す状態に変形可能としている。
【００２７】
また、フレキシブルテンプル３・３は、下弦方向22に回動させたときに上弦側のリム２の外側弦23側および下弦22を包囲可能な湾曲形状に成形している(図３、図４参照)。
【００２８】
これにより、左右のテンプル３・３とフロント枠Ｆとを略同一平面上に並べることが可能となるため、不使用時の眼鏡フレームを非常にフラットな状態にコンパクト変形することが可能となる。
【００２９】
一方、上記フレキシブルテンプル３・３は、リム上弦21の方向に位置させてあるときに図５に示すように伸展・拡開して着用者の左右側頭部を弾力的に挟着できるようにしているため、屈曲したモダンがなくても眼鏡を安定的に装着することができ、屈曲モダンを省略してコンパクト変形後の眼鏡フレームをよりフラットな形態とすることができる。
【００３０】
また装着時においては、テンプル３の取り付け位置をリム端部でなく上弦21の中央近傍としたことにより、ブリッジ１にかかる反り方向の負荷が大幅に軽減されて着用者の両眼部にフロント枠Ｆの左右レンズリム２・２を対面並立状態に点支持することが可能となるため、眼鏡の機能性を良好に発揮させることができる。
【００３１】
なお、左右レンズリム２・２におけるヒンジ部材４・４の取り付け位置に関しては、あまりブリッジ１側に寄せ過ぎると装着状態が不安定となるため、そうならない範囲で位置を調整する必要がある。
【００３２】
また眼鏡を取り外した後は、自身の形状復元性によってフレキシブルテンプル３・３は元の湾曲した形状に戻るため、テンプルの折畳み操作は不要となる。
【００３３】
他方、フロント枠Ｆがフレキシブルテンプル３・３で包囲された状態においては、眼鏡を落とした場合でも両テンプル３によりフロント枠Ｆが直接的な衝撃から守られるため、レンズの破損等が起き難い構造となっている。
【００３４】
さらに、図６に示すようにケースＣ内に眼鏡を収容した際には、フロント枠Ｆ周囲を包囲したテンプル３・３がケースＣ内での眼鏡のガタつきによる衝撃を吸収して、フロント枠Ｆやヒンジ部材４・４の傷みを防止できる。
【００３５】
なお、フレキシブルテンプル３・３を押し縮めてケースＣ内に収納可能な湾曲形状とすれば、テンプル３・３がケース内で突っ張った状態で眼鏡のガタつき自体を防止することができるため非常に効果的である。
【００３６】
そして実施例１では、フレキシブルテンプル３の素材として、可撓性および曲げ弾性を有する合成樹脂材料(本実施例では、「ポリアミド樹脂(PA)」)から作製しており、このようなエンジニアリングプラスチックを用いた場合には、フロント枠Ｆがテンプル３に強くぶつかっても傷付いてしまう心配がない。
【００３７】
また実施例１では、ヒンジ部材４にストッパーの機能を果たすカム形状の凸曲部41を形成してフレキシブルテンプル３・３の空回りを防止すると共に、前記テンプル３の回動操作においてテンプル基端部31を前記凸曲部41に圧接して弾性変形させて凸曲部41上を通過させることにより両テンプル３・３が上下に回動できるようにしている（図７参照）。
【００３８】
そして、フレキシブルテンプル３の基端部31におけるヒンジ部材４との接触面31aを断面山形状に形成し、この接触面31aの斜面部をヒンジ部材４の凸曲部41上で摺動させることにより前記基端部31を外側方向に逓次的に加圧可能としてフレキシブルテンプル３の回動操作を容易にしている。
【００３９】
また、フレキシブルテンプル３・３のデザインに関しては、眼鏡装着時に両テンプル３・３を外側に拡げた際にテンプル自体が撓んでヒンジ部材４・４に負荷が集中するようなこともないため、両テンプル３・３を補強的に連結する必要はなく自由に設計することが可能となる。
【００４０】
『実施例２』
次に、本発明の実施例２を図８に基づいて説明する。同図において、符号５で指示するものはレンズである。実施例２においては、ブリッジ１で連結された左右レンズ５・５の上弦51の中央近傍にヒンジ部材４・４を設けると共に、これらのヒンジ部材４・４にはフレキシブルテンプル３・３の基端部31を下弦52側に回動自在に取り付けてフラットな形態にコンパクト化できるリムレス眼鏡を構成している（図８参照）。
【００４１】
加えて、上記リムレス眼鏡は、湾曲形成されたフレキシブルテンプル３・３によりヒンジ部材４が取り付けられた上弦51から外側弦53及び下弦52を包囲可能であるため、衝撃等によりレンズ４・４が傷み難い構造となっている。
【００４２】
『実施例３』
次に、本発明の実施例３を図９及び図１０に基づいて説明する。実施例３においては、フレキシブルテンプル３・３の材料として可撓性および曲げ弾性を有する金属材料を使用しており、これにより樹脂製品のような紫外線劣化の心配がなく、長期間使用することが可能な眼鏡フレームＦを作製することができる。
【００４３】
なお、フレキシブルテンプル３・３に採用する金属材料としては、外側に大きく広げてもしっかりと元の形状に戻る特性を有したβ-チタンやNi-Ti合金等の形状記憶合金を採用することが好ましい。
【００４４】
また実施例３では、フレキシブルテンプル３・３の間を帯金状の連結部材32で繋いで両者を一体化しているため、左右テンプル３・３の回動操作を同時に行うことができる。
【００４５】
ちなみに、このフレキシブルテンプル３・３同士を繋ぐ連結部材32は、補強用のものではないため意匠性を損なう頑強な構造を採用する必要はない。
【００４６】
本発明は、概ね上記のように構成されるが、本発明は図示の実施形態に限定されるものでは決してなく、「特許請求の範囲」の記載内において種々の変更が可能であって、例えば、ヒンジ部材４・４の配設位置を、図１１及び図１２に示すようなレンズリム２・２の下弦22・22やレンズ５・５の下弦52・52に設けて左右テンプル３・３の回動方向を反対にすることによっても、同様の効果を得ることができる。
【００４７】
また、フレキシブルテンプル３の材料としては、必要な可撓性及び曲げ弾性を有していればポリアミド樹脂に限らずポリカーボネート(PC)などの他のエンジニアリングプラスチックや、合成樹脂材料と金属材料の複合材料などを採用することもでき、何れのものも本発明の技術的範囲に属する。
【産業上の利用可能性】
【００４８】
近年においては、高齢化社会の進展により老眼鏡の需要が高まっており、その中でも老眼鏡は常時装着する矯正用眼鏡とは異なり持ち運びに供することが多いため、服のポケットやバッグに入れても嵩張らない程度にコンパクト化できる構造のものが望まれている。
【００４９】
そのような中で、本発明の薄型変形式眼鏡フレームおよびフラット折畳式のリムレス眼鏡は、眼鏡の薄型化を図ることができるだけでなく、機能性及び意匠性の向上も図れる有用な技術であることから、市場における需要は大きく、その産業上の利用価値は非常に高い。
【図面の簡単な説明】
【００５０】
【図１】本発明の実施例１における眼鏡フレームを表わす全体斜視図である。
【図２】本発明の実施例１におけるテンプルのヒンジ連結構造を表わす状態説明図である。
【図３】本発明の実施例１における眼鏡フレームを表わす全体斜視図である。
【図４】本発明の実施例１における眼鏡フレームを表わす全体前面図である。
【図５】本発明の実施例１における眼鏡フレームの装着状態を表わす状態説明図である。
【図６】本発明の実施例１におけるケースに収容された眼鏡フレームを表わす全体斜視図である。
【図７】本発明の実施例１におけるテンプルのヒンジ連結構造を表わすＡ−Ａ'断面からみた状態説明図である。
【図８】本発明の実施例２におけるリムレス眼鏡を表わす全体前面図である。
【図９】本発明の実施例３における眼鏡フレームを表わす全体前面図である。
【図１０】本発明の実施例３における眼鏡フレームを表わす全体斜視図である。
【図１１】本発明の変形例における眼鏡フレームを表わす全体前面図である。
【図１２】本発明の変形例におけるリムレス眼鏡を表わす全体前面図である。
【符号の説明】
【００５１】
１  ブリッジ
２  レンズリム
21  上弦
22  下弦
23  外側弦
３  フレキシブルテンプル
31  基端部
31a  接触面
32  連結部材
４  ヒンジ部材
41  凸曲部
５  レンズ
51  上弦
52  下弦
53  外側弦
Ｆ  フロント枠
Ｃ  ケース
【図１】
2009251060.tif 000003
【図２】
2009251060.tif 000004
【図３】
2009251060.tif 000005
【図４】
2009251060.tif 000006
【図５】
2009251060.tif 000007
【図６】
2009251060.tif 000008
【図７】
2009251060.tif 000009
【図８】
2009251060.tif 000010
【図９】
2009251060.tif 000011
【図１０】
2009251060.tif 000012
【図１１】
2009251060.tif 000013
【図１２】
2009251060.tif 000014